【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
四極子核を含むサンプルをテストする核四重極共鳴方法であって、該方法が、
（ａ）パルス・シーケンスを発生するステップであり、該パルスシーケンスが、
（i）ｒ．ｆパルスの各々の対が第１の要素パルスと第２の要素パルスとを含み、各
々の要素パルスが所与のｒ．ｆ位相を有し、該ｒ．ｆパルスの各々の対において、該第１の要素パルスと第２の要素パルスが、１５度より小さい位相差を有する類似の位相である、複数のｒ．ｆパルスの対と、
（ii）ｒ．ｆパルスの各々の対の各々の第１の要素パルスと第２の要素パルスの前の
位相の異る少なくも１つの準備パルスと、
を備える該パルス・シーケンスを発生するステップと、
（ｂ）該パルス・シーケンスを該サンプルに印加するステップであり、
（i）前記ｒ．ｆパルスの各々の対の該第１の要素パルスおよび第２の要素パルスが
、核四重極共鳴信号と望ましくないスプリアス信号とを発生し、
（ii）該第１の要素パルスに続く核四極子共鳴応答信号と該第２の要素パルスに続く
核四極子共鳴応答信号とが異なるように、準備パルスまたはパルスが四重極核を準備する、
該パルス・シーケンスを該サンプルに印加するステップと、
（ｃ）ｒ．ｆパルスの各々の対の第１の要素パルスおよび第２の要素パルスに続く共鳴応答信号をスプリアス信号とともに検出するステップと、
（ｄ）前記第１の要素パルスおよび第２の要素パルスに続く前記共鳴応答信号を全く相殺することなく、少なくとも前記スプリアス信号を部分的には相殺させるように、該ｒ．ｆパルスの各々の対において該検出され信号を加算あるいは減算するステップと、
を備えることを特徴とする方法。
【請求項２】
四極子核を含むサンプルをテストする核四重極共鳴方法であって、該方法が、
（ａ）パルス・シーケンスを発生するステップであり、該パルス・シーケンスが複数のｒ．ｆパルスの対を含み、
ｒ．ｆパルスの各々の対が第１の要素パルスと第２の要素パルスとを含み、各々の要素パルスが所与のｒ．ｆ位相を有し、該ｒ．ｆパルスの各々の対において、該第１の要素パルスと第２の要素パルスが、１５度より小さい位相差を有する類似の位相である、該パルス・シーケンスを発生するステップと、
（ｂ）ｒ．ｆパルスの各々の対１つの或いはそれぞれの要素パルスの印加の前に四極子核の磁界を反転させて、該四極子核を準備し、該第１の要素パルスに続く核四極子共鳴応答信号と該第２の要素パルスに続く核四極子共鳴応答信号とを異ならせるステップと、
（ｃ）該パルス・シーケンスを該サンプルに印加し、前記ｒ．ｆパルスの各々の対の該第１の要素パルスおよび第２の要素パルスが、核四重極共鳴信号と望ましくないスプリアス信号とを発生するステップと、
（ｄ）ｒ．ｆパルスの各々の対の第１の要素パルスおよび第２の要素パルスに続く共鳴応答信号をスプリアス信号とともに検出するステップと、
（ｅ））前記第１の要素パルスおよび第２の要素パルスに続く前記共鳴応答信号を全く相殺することなく、少なくとも前記スプリアス信号を部分的には相殺させるように、該ｒ．ｆパルスの各々の対において該検出され信号を加算あるいは減算するステップと、
を備える該方法。
【請求項３】
四極子核を含むサンプルをテストする核四重極共鳴方法であって、該方法が、
（ａ）パルス・シーケンスを発生するステップであり、該パルスシーケンスが、
（i）ｒ．ｆパルスの各々の対が第１の要素パルスと第２の要素パルスとを含み
、各々の要素パルスが所与のｒ．ｆ位相を有し、該ｒ．ｆパルスの各々の対において、該第１の要素パルスと第２の要素パルスが、１５度より小さい位相差を有する類似の位相である、複数のｒ．ｆパルスの対と、
（ii）前記要素パルスの１つの印加前に該四極子核を飽和する飽和パルス列と、
を備える該パルス・シーケンスを発生するステップと、
（ｂ）該パルス・シーケンスを該サンプルに印加するステップであり、
（i）前記ｒ．ｆパルスの各々の対の該第１の要素パルスおよび第２の要素パルスが
、核四重極共鳴信号と望ましくないスプリアス信号とを発生し、
（ii）該四極子核を飽和することにより、飽和パルス列が該四重極核を準備し、該第
１の要素パルスに続く核四極子共鳴応答信号と該第２の要素パルスに続く核四極子共鳴応答信号とを異ならせる、
該パルス・シーケンスを該サンプルに印加するステップと、
（ｃ）ｒ．ｆパルスの各々の対の第１の要素パルスおよび第２の要素パルスに続く共鳴応答信号をスプリアス信号とともに検出するステップと、
（ｄ）前記第１の要素パルスおよび第２の要素パルスに続く前記共鳴応答信号を全く相殺することなく、少なくとも前記スプリアス信号を部分的には相殺させるように、該ｒ．ｆパルスの各々の対において該検出され信号を加算あるいは減算するステップと、
を備えることを特徴とする方法。
【請求項４】
少なくとも２対のｒ．ｆパルスが存在し、１対のｒ．ｆパルスが他の対のｒ．ｆパルスから９０度異る位相を有する請求項１乃至３のいずれかに記載の方法。
【請求項５】
前記各対の各々の要素パルスに先行する準備パルスと、該対の各々の該要素パルスに続く各応答信号の検出ステップにおける検出開始との間の時間が、各々の対で、該時間がスプリアス信号が該スプリアス信号の初期値の５０％より小さく減衰するために充分である時間である請求項１に記載の方法。
【請求項６】
前記パルス・シーケンスが、第１および第２の別々のパルス・シーケンスを含み、第１のパルス・シーケンスが各対の一方の各々の要素パルスが後続する準備パルスを含み、かつ第２のパルス・シーケンスが各対の他方の各々の要素パルスが後続する準備パルスを含み、該第１および第２のパルス・シーケンスの準備パルスが位相に関して異なる、請求項１に記載の方法。
【請求項７】
前記パルス・シーケンスが、関連する０°と１８０°、あるいは０°、９０°、１８０°および２７０°のみを有するパルスを含むエコー生成シーケンスである請求項１または４から６のいずれか一つに記載の方法。
【請求項８】
前記パルスの対の１つの少なくとも１つの要素パルスの前の少なく１つの準備パルスが、前記パルスの他の対の要素パルスを含む請求項１または４から７のいずれか一つに記載の方法。
【請求項９】
四極子核を含むサンプルをテストする核四重極共鳴装置であって、該装置が、
（ａ）パルス・シーケンスを発生する手段であり、該パルス・シーケンスが複数のｒ．ｆパルスの対を含み、
(i)ｒ．ｆパルスの各々の対が第１の要素パルスと第２の要素パルスとを含み、各々の要素パルスが所与のｒ．ｆ位相を有し、該ｒ．ｆパルスの各々の対において、該第１の要素パルスと第２の要素パルスが、１５度より小さい位相差を有する類似の位相である、該パルス・シーケンスを発生する手段と、
（ii）ｒ．ｆパルスの各々の対の各々の第１の要素パルスと第２の要素パルスの前の
位相の異る少なくも１つの準備パルスと、
を備える該パルス・シーケンスを発生する装置と、
（ｂ）該パルス・シーケンスを該サンプルに印加する手段であり、
（i）前記ｒ．ｆパルスの各々の対の該第１の要素パルスおよび第２の要素パルスが
、核四重極共鳴信号と望ましくないスプリアス信号とを発生し、
（ii）該第１の要素パルスに続く核四極子共鳴応答信号と該第２の要素パルスに続く
核四極子共鳴応答信号とが異なるように、準備パルスまたはパルスが四重極核を準備する、
該印加手段と、
（ｃ）ｒ．ｆパルスの各々の対の第１の要素パルスおよび第２の要素パルスに続く共鳴応答信号をスプリアス信号とともに検出する手段と、
（ｄ）前記第１の要素パルスおよび第２の要素パルスに続く前記共鳴応答信号を全く相殺することなく、少なくとも前記スプリアス信号を部分的には相殺させるように、該ｒ．ｆパルスの各々の対において該検出され信号を加算あるいは減算する手段と、
を備えることを特徴とする装置。
【請求項１０】
四極子核を含むサンプルをテストする核四重極共鳴装置であって、該装置が、
（ａ）パルス・シーケンスを発生する手段であり、該パルス・シーケンス、
ｒ．ｆパルスの各々の対が第１の要素パルスと第２の要素パルスとを含み、各々の要素パルスが所与のｒ．ｆ位相を有し、該ｒ．ｆパルスの各々の対において、該第１の要素パルスと第２の要素パルスが、１５度より小さい位相差を有する類似の位相である、複数のｒ．ｆパルスの対を含む、該パルス・シーケンスを発生する手段と、
（ｂ）ｒ．ｆパルスの各々の対１つの或いはそれぞれの要素パルスの印加の前に四極子核の磁界を反転させて、該四極子核を準備し、該第１の要素パルスに続く核四極子共鳴応答信号と該第２の要素パルスに続く核四極子共鳴応答信号とを異ならせる手段と、
（ｃ）該パルス・シーケンスを該サンプルに印加し、前記ｒ．ｆパルスの各々の対の該第１の要素パルスおよび第２の要素パルスが、核四重極共鳴信号と望ましくないスプリアス信号とを発生する手段と、
（ｄ）ｒ．ｆパルスの各々の対の第１の要素パルスおよび第２の要素パルスに続く共鳴応答信号をスプリアス信号とともに検出する手段と、
（ｅ）前記第１の要素パルスおよび第２の要素パルスに続く前記共鳴応答信号を全く相殺することなく、少なくとも前記スプリアス信号を部分的には相殺させるように、該ｒ．ｆパルスの各々の対において該検出され信号を加算あるいは減算する手段と、
を備える該装置。
【請求項１１】
四極子核を含むサンプルをテストする核四重極共鳴装置であって、該装置が、
（ａ）パルス・シーケンスを発生する手段であり、該パルスシーケンスが、
（i）ｒ．ｆパルスの各々の対が第１の要素パルスと第２の要素パルスとを含み
、各々の要素パルスが所与のｒ．ｆ位相を有し、該ｒ．ｆパルスの各々の対において、該第１の要素パルスと第２の要素パルスが、１５度より小さい位相差を有する類似の位相である、複数のｒ．ｆパルスの対と、
（ii）前記要素パルスの１つの印加前に該四極子核を飽和する飽和パルス列と、
を備える該パルス・シーケンスを発生する手段と、
（ｂ）該パルス・シーケンスを該サンプルに印加する手段であり、
（i）前記ｒ．ｆパルスの各々の対の該第１の要素パルスおよび第２の要素パルスが
、核四重極共鳴信号と望ましくないスプリアス信号とを発生し、
（ii）該四極子核を飽和することにより、飽和パルス列が該四重極核を準備し、該第
１の要素パルスに続く核四極子共鳴応答信号と該第２の要素パルスに続く核四極子共鳴応答信号とを異ならせる、
該パルス・シーケンスを該サンプルに印加する手段と、
（ｃ）ｒ．ｆパルスの各々の対の第１の要素パルスおよび第２の要素パルスに続く共鳴応答信号をスプリアス信号とともに検出する手段と、
（ｄ）前記第１の要素パルスおよび第２の要素パルスに続く前記共鳴応答信号を全く相殺することなく、少なくとも前記スプリアス信号を部分的には相殺させるように、該ｒ．ｆパルスの各々の対において該検出され信号を加算あるいは減算する手段と、
を備えることを特徴とする装置。